(57)【要約】【課題】複数のコンロバーナの夫々に放電ユニットを配置し、高圧ケーブルをコンロ筐体内に配線する必要のないガスコンロ用点火機構を提供すること。【解決手段】高圧電流を発生するイグナイタユニットと、前記イグナイタユニットで発生した高圧電流を放電するスパーク電極と、前記イグナイタユニットを制御するＣＤＩ回路と、前記ＣＤＩ回路を制御する制御ユニットと、前記イグナイタユニットとＣＤＩ回路とを接続する接続コードとを備えたガスコンロ用点火機構であって、複数のコンロバーナの夫々にイグナイタユニットを配置し、前記イグナイタユニットで発生した高圧電流をスパーク電極で放電することでガスに着火するので、高圧ケーブルをコンロ筐体内に引き回す必要がなく、高圧ケーブルから点火時に発生するノイズに制御ユニットを曝す虞れがない。したがって、制御ユニットの誤動作を未然に防止できる。また、制御ユニットに対するノイズ対策部品や配線処理、搭載位置や器具設計の検討が不要となる。【選択図】図１
2011080631.tif 000002
【特許請求の範囲】
【請求項１】
高圧電流を発生するイグナイタユニットと、前記イグナイタユニットで発生した高圧電流を放電するスパーク電極と、前記イグナイタユニットを制御するCDI回路と、前記CDI回路を制御する制御ユニットと、前記イグナイタユニットとCDI回路とを接続する接続コードとを備えたガスコンロ用点火機構であって、
複数のコンロバーナの夫々にイグナイタユニットを配置し、前記イグナイタユニットで発生した高圧電流をスパーク電極で放電することでガスに着火することを特徴とするガスコンロ用点火機構。
【請求項２】
前記イグナイタユニットをグリルバーナにも配置したことを特徴とする請求項１に記載のガスコンロ用点火機構。
【請求項３】
前記イグナイタユニットは、内部に昇圧用コイルを備えたスティック状構造であり、放電電極と絶縁碍子から構成されたスパーク電極を一体的に組み付け可能であることを特徴とする請求項１または２に記載のガスコンロ用点火機構。
【発明の詳細な説明】
【技術分野】
【０００１】
本発明は、調理用のガスコンロに使用されるコンロバーナ或いはグリルバーナを点火するためのガスコンロ用点火機構に関するものである。
【背景技術】
【０００２】
図３は、従来のガスコンロ用点火機構の一例を示す説明図である。ここで、ガスコンロ用点火機構は、上面に３個の調理用のコンロバーナ１〜３を備え、下部のグリル庫内に１個のグリルバーナ４を備えたガスコンロに使用されるものであって、各バーナにはバーナのガス放出部にスパーク電極５〜１０が取り付けられている。また、放電用の高電圧を発生させる昇圧用のイグナイタユニット１１から高圧ケーブル１３〜１８が各スパーク電極５〜１０までコンロ筐体内を配線されている。イグナイタユニット１１は、通常ガスコンロに１個が搭載されており、多数の出力端子により複数のバーナの点火を担っている。また、イグナイタユニット１１は、CDI(Capacitor Discharge Ignition)回路を備えており、コンロユニット全体を制御するCPUを備えた制御ユニット１２と低圧ケーブル１９で接続されている。
【０００３】
標準的な３ヶ口調理バーナでグリルバーナを有するコンロの場合、上面のコンロバーナ１〜３には、それぞれ１個のスパーク電極が備えられ、グリルバーナ４には３個のスパーク電極が備えられ、イグナイタユニット１１から各スパーク電極へは、コンロ筐体内を高圧ケーブルを引き回すことによって接続されている。
また、特許文献１等にもイグナイター７で昇圧した高電圧をリード線（高圧ケーブル）で点火プラグまで導く構成が開示されている。
【先行技術文献】
【特許文献】
【０００４】
【特許文献１】特開平６−５８５４４号公報
【発明の概要】
【発明が解決しようとする課題】
【０００５】
しかし、このような構成の従来のガスコンロ用点火機構においては、イグナイタからスパーク電極まで接続する高圧ケーブルをコンロ筐体内を引き回す（配線）するため、バーナ点火時に高圧ケーブルから発生する放電ノイズがCPUを搭載し、器機全体の制御を行う制御ユニットに悪影響を与え、誤動作を招く虞れが存在した。これを回避するべく、制御ユニットの誤動作防止対策のために対策部品を余計に設置したり、高圧ケーブルの配線処理、制御ユニットの搭載位置の検討、器具設計の検討等の余分な手数がかかって、煩雑であった。
【０００６】
この発明は、上記に鑑み提案されたもので、複数のコンロバーナの夫々に放電ユニットを配置し、高圧ケーブルをコンロ筐体内に配線する必要のないガスコンロ用点火機構を提供することを目的とするものである。
【課題を解決するための手段】
【０００７】
上記目的を達成する為に、高圧電流を発生するイグナイタユニットと、前記イグナイタユニットで発生した高圧電流を放電するスパーク電極と、前記イグナイタユニットを制御するＣＤＩ回路と、前記ＣＤＩ回路を制御する制御ユニットと、前記イグナイタユニットとＣＤＩ回路とを接続する接続コードとを備えたガスコンロ用点火機構であって、複数のコンロバーナの夫々にイグナイタユニットを配置し、前記イグナイタユニットで発生した高圧電流をスパーク電極で放電することでガスに着火することを特徴としている。
【０００８】
また、本発明において、前記イグナイタユニットをグリルバーナにも配置したことを特徴とする。
【０００９】
また、本発明において、前記イグナイタユニットは、内部に昇圧用コイルを備えたスティック状構造であり、放電電極と絶縁碍子から構成されたスパーク電極を一体的に組み付け可能であることを特徴とする。
【発明の効果】
【００１０】
この発明は上記した構成からなるので、以下に説明するような効果を奏することができる。
【００１１】
本発明では、高圧電流を発生するイグナイタユニットと、前記イグナイタユニットで発生した高圧電流を放電するスパーク電極と、前記イグナイタユニットを制御するＣＤＩ回路と、前記ＣＤＩ回路を制御する制御ユニットと、前記イグナイタユニットとＣＤＩ回路とを接続する接続コードとを備えたガスコンロ用点火機構であって、複数のコンロバーナの夫々にイグナイタユニットを配置し、前記イグナイタユニットで発生した高圧電流をスパーク電極で放電することでガスに着火するので、高圧ケーブルをコンロ筐体内に引き回す必要がなく、高圧ケーブルから点火時に発生するノイズに制御ユニットを曝す虞れがない。したがって、制御ユニットの誤動作を未然に防止できる。また、制御ユニットに対するノイズ対策部品や配線処理、搭載位置や器具設計の検討が不要となる。更に、高圧ケーブルを安価な低圧ケーブルに替えることができとともに、ノイズが制御ユニットへ与える影響が低減でき、器具設計の自由度を増すことができる。
【００１２】
また、本発明において前記イグナイタユニットをグリルバーナにも配置したので、高圧ケーブルの引き回し及び点火ノイズの影響を低減することができる。
【００１３】
また、本発明において前記イグナイタユニットは、内部に昇圧用コイルを備えたスティック状構造であり、放電電極と絶縁碍子から構成されたスパーク電極を一体的に組み付け可能であるので、イグナイタユニットとスパーク電極をコンパクトにすることができ、器具設計の自由度を増すことができる。
【図面の簡単な説明】
【００１４】
【図１】図１は、本発明に係るガスコンロ用点火機構を示す説明図である。
【図２】図２は、同ガスコンロ用点火機構に使用されるイグナイタユニット及びスパーク電極を示す説明図である。
【図３】図３は、従来のガスコンロ用点火機構の一例を示す説明図である。
【発明を実施するための形態】
【００１５】
ガスコンロ用点火機構において、複数のコンロバーナの夫々にイグナイタユニット及びスパーク電極を配置し、イグナイタユニットで発生した高圧電流をスパーク電極で放電することでガスに着火するので、高圧ケーブルをコンロ筐体内に引き回す必要がない。
【実施例】
【００１６】
以下、一実施の形態を示す図面に基づいて本発明を詳細に説明する。図１は、本発明に係るガスコンロ用点火機構を示す説明図、図２は本発明のガスコンロ用点火機構に使用されるイグナイタユニット及びスパーク電極を示す説明図である。ここで、ガスコンロ用点火機構２０は、複数のコンロバーナ２１〜２３とグリルバーナ２４を備えたガスコンロに使用されるものであって、高圧電流を発生するイグナイタユニット２５〜２７と、前記イグナイタユニット２５〜２７で発生した高圧電流を放電するスパーク電極２８〜３０と、前記イグナイタユニット２５〜２７を制御するＣＤＩ回路３１と、前記ＣＤＩ回路３１を制御する制御ユニット３２と、前記イグナイタユニット２５〜２７とＣＤＩ回路３１とを接続する接続コード（低圧コード）３３〜３５とを備えている。
【００１７】
また、グリルバーナ２４には、３個のイグナイタユニット３６〜３８が配置されており、それぞれイグナイタユニット３６〜３８は、ＣＤＩ回路３１と接続コード（低圧コード）３９〜４１で接続されている。また、イグナイタユニット３６〜３８には、スパーク電極４８〜５０が取り付けられており、スパークすることによりグリルバーナ２４を点火する。更に、ＣＤＩ回路３１とこれを制御する制御ユニット３２とは、接続コード（低圧コード）４２〜４７で接続されている。
【００１８】
ＣＤＩ(Capacitor Discharge Ignition)回路３１は、サイリスタを利用した電子制御点火回路であり、高容量コンデンサ（キャパシタ）による放電を使用するものである。また、制御ユニット３２は、ＣＰＵを含みガスコンロ全体の動作を制御する。
【００１９】
図２（ａ）は、イグナイタユニット２５とスパーク電極２８の関係を示す分解図である。イグナイタユニット２５は、内部に昇圧用コイル２５ａを備えるとともに、全体が横長のスティック状に形成されている。また、イグナイタユニット２５の一端には、昇圧用コイル２５ａに接続された接続端子２５ｂが配設されるとともに、他端には、スパーク電極２８を挿着可能な挿着凹部２５ｃが形成されている。スパーク電極２８は、導電性の電極２８ａと電極の一部周囲を覆う絶縁材である碍子２８ｂとから成り、碍子２８ｂの外周が前記イグナイタユニット２５に形成された挿着凹部２５ｃに挿着可能な寸法に設定されている。碍子２８ｂは、電極２８ａの基端近傍に例えば、円筒状に形成されており、挿着凹部２５ｃ内に装着される。電極２８ａの先端は、鉤形に折曲形成されており、基端部は碍子２８ｂから突出している。
【００２０】
図２（ｂ）は、イグナイタユニット２５とスパーク電極２８を一体的に組立てた状態を示す説明図である。スパーク電極２８の碍子部分を挿着凹部２５ｃに挿着することにより、一体化することができ、昇圧用コイル２５ａと電極２８ａとの導通が取られる。
【００２１】
次に、以上のように構成されたガスコンロ用点火機構１０について説明すると、複数のコンロバーナ２１〜２３の夫々にイグナイタユニット２５〜２７を配置し、イグナイタユニットで発生した高圧電流をスパーク電極２８〜３０、４８〜５０で放電することでガスに着火することができる。また、制御ユニット３２から各イグナイタユニットまでの配線を高価な高圧ケーブルから安価な低圧ケーブルに替えることができ、製造コストの低減を図ることができる。更に、高圧ケーブルを器具内に配線する必要がないので、バーナ点火時に発生するノイズを低減することができ、制御ユニットへの影響を低減できるとともに、機器設計上の自由度を増加することができる。
【符号の説明】
【００２２】
２０    ガスコンロ用点火機構
２１〜２３  コンロバーナ
２４    グリルバーナ
２５〜２７  イグナイタユニット
２５ａ  昇圧用コイル
２５ｂ  接続端子
２５ｃ  挿着凹部
２８〜３０  スパーク電極
２８ａ  電極
２８ｂ  碍子
３１    ＣＤＩ回路
３２    制御ユニット
３３〜３５  接続コード（低圧コード）
３６〜３８  イグナイタユニット
３９〜４１  接続コード（低圧コード）
４２〜４７  接続コード（低圧コード）
４８〜５０  スパーク電極
【図１】
2011080631.tif 000003
【図２】
2011080631.tif 000004
【図３】
2011080631.tif 000005